(57)【要約】【課題】本発明は、ショート不良やオープン不良を回避して、コネクターの位置決め精度を向上しえる端子・フレーム構造体を提供することを目的とする。【解決手段】先端にポスト曲げ部13を備えた複数の端子11a,11bと、ペレット16が搭載されるフレーム12と、前記端子のポスト曲げ部と前記ペレット上の電極とを夫々接続する複数のコネクター15a,15bとを具備した端子・フレーム構造体において、前記コネクター15a,15bは前記端子の長手方向に沿って設けられ、かつ端子寄りのコネクター15a,15bの内側辺と端子11a,11bの内側辺とが夫々同一面であることを特徴とする端子・フレーム構造体10。【選択図】    図２
2007088263.tif 000002
【特許請求の範囲】
【請求項１】
先端にポスト曲げ部を備えた複数の端子と、ペレットが搭載されるフレームと、前記端子のポスト曲げ部と前記ペレット上の電極とを夫々接続する複数のコネクターとを具備した端子・フレーム構造体において、
前記コネクターは前記端子の長手方向に沿って設けられ、かつ複数のコネクターのうち少なくとも１つのコネクターにおいて、端子寄りのコネクターの内側辺と端子の内側辺とが同一面となるか、あるいは端子がコネクターの幅方向の中心に位置するか、あるいはコネクターの幅と端子の幅とが同一であることを特徴とする端子・フレーム構造体。
【請求項２】
前記端子は３端子であり、中央の第１の端子とこの端子に対応する第１のコネクターとの関係は第１の端子が第１のコネクターの幅方向の中心に位置するような配置状態にあり、残りの両端の第２・第３の端子とこれらの端子に対応する第２・第３のコネクターとの関係は第２・第３の端子の夫々の外側辺と第２・第３のコネクターの夫々の外側辺とが同一面となるような配置状態にあることを特徴とする請求項１記載の端子・フレーム構造体。
【発明の詳細な説明】
【技術分野】
【０００１】
本発明は、コネクター半田接合を行う半導体製品に使用される端子・フレーム構造体に関する。
【背景技術】
【０００２】
従来、複数の端子とフレームとを接続させた端子・フレーム構造体としては、例えば図９（Ａ），（Ｂ）及び図１０（Ａ），（Ｂ）に示すものが知られている。ここで、図９は組み立て前、図１０は組み立て後の状態を夫々示す。また、図９（Ａ）は端子・フレーム構造体の組み立て前の斜視図、図９（Ｂ）は図９（Ａ）の平面図を示す。図１０（Ａ）は端子・フレーム構造体の組み立て後の斜視図、図１０（Ｂ）は図１０（Ａ）の平面図を示す。
【０００３】
端子・フレーム構造体は、図９に示すような２本の互いに並行な端子１ａ，１ｂ及びフレーム２と、図１０に示すようなコネクター５ａ，５ｂから構成されている。前記端子１ａ，１ｂのフレーム寄りの先端は夫々一段下がったポスト曲げ部３になっており、このポスト曲げ部３の一部は、コネクターの一端と接続するためのコネクター搭載箇所（ポスト）４になっている。ここで、ポスト４の幅Ｗは、接続されるコネクターの一端の幅と同じ幅に設定されている。また、従来の場合、ポスト４の外側辺と端子１ａ，１ｂの夫々の外側辺は同一面上にあり、ポスト４の夫々の内側辺４ａは端子１ａ，１ｂの夫々の内側辺より端子１ａ，１ｂの幅方向Ｘに対して内側に位置するように配置されている。
【０００４】
図９の状態から端子１ａ，１ｂとフレーム２とをコネクターで接続するには、図１０に示すように行う。即ち、コネクター５ａ，５ｂの一端を端子１ａ，１ｂの夫々のポスト４上に重ね合わせ、コネクター５ａ，５ｂの他端をフレーム２上のペレット６に夫々電極７ａ，７ｂを介して半田付けすることにより接続する。なお、図１０（Ｂ）以外の他の図面では便宜上電極は図示されていない。
【０００５】
このように、従来の端子・フレーム構造体においては、コネクター５ａ，５ｂが端子１ａ，１ｂの先端のポスト４上に夫々重ね合わせるように接続されているので、結果としてコネクター５ａ，５ｂの夫々の内側辺は端子１ａ，１ｂの夫々の内側辺より端子１ａ，１ｂの幅方向Ｘに対して内側に位置するように配置されることになる。
【０００６】
従来、ペレットとリード端子とを平板状のコネクターを用いて接続した構成のＭＯＳ型トランジスターとしては、例えば特許文献１が知られている。
【特許文献１】特開２００４−３１５１５号公報
【発明の開示】
【発明が解決しようとする課題】
【０００７】
しかしながら、図１０の端子・フレーム構造体においては、コネクター５ａ，５ｂの夫々の内側辺が端子１ａ，１ｂの夫々の内側辺より端子１ａ，１ｂの幅方向に対して内側に位置するように配置される。従って、コネクター５ａ，５ｂを用いて半田により端子１ａ，１ｂの夫々のポスト４とペレット６の電極７ａ，７ｂを接続する際、搭載したコネクター５ａ，５ｂが回転して内側にずれるため、コネクター５ａ，５ｂが電極７ａ，７ｂから外れて互いのコネクター５ａ，５ｂが短絡する不良（ショート不良）が生じたり、あるいはコネクター５ａ，５ｂが電極７ａ，７ｂから外れてオープン不良が生じる場合があった。
【０００８】
本発明は従来の課題を解決するためになされたもので、端子の先端のポスト曲げ部に対するコネクターの配置や形状に改良を施すことにより、ショート不良やオープン不良を回避でき、もってコネクターの位置決め精度を向上しえる端子・フレーム構造体を提供することを目的とする。
【課題を解決するための手段】
【０００９】
本発明に係る端子・フレーム構造体は、先端にポスト曲げ部を備えた複数の端子と、ペレットが搭載されるフレームと、前記端子のポスト曲げ部と前記ペレット上の電極とを夫々接続する複数のコネクターとを具備した端子・フレーム構造体において、前記コネクターは前記端子の長手方向に沿って設けられ、かつ複数のコネクターのうち少なくとも１つのコネクターにおいて、端子寄りのコネクターの内側辺と端子の内側辺とが同一面となるか、あるいは端子がコネクターの幅方向の中心に位置するか、あるいはコネクターの幅と端子の幅とが同一であることを特徴とする。
【発明の効果】
【００１０】
本発明の端子・フレーム構造体によれば、ショート不良やオープン不良を回避でき、もってコネクターの位置決め精度を向上しえる端子・フレーム構造体を提供することができる。
【発明を実施するための最良の形態】
【００１１】
次に、本発明の具体的な実施の形態について説明する。  
本発明において、コネクターの形状及び配置の形態としては、次の例が挙げられる。  
１）複数のコネクターのうち少なくとも１つのコネクターにおいて、端子寄りのコネクターの内側辺と端子の内側辺とが同一面となる場合。この例としては、例えば後述する図２、図８の例が挙げられる。これらの例は、一般に半田付する際にコネクターの先端（電極側）の内側への回転を抑制するのに有効である。
【００１２】
２）複数のコネクターのうち少なくとも１つのコネクターにおいて、端子がコネクターの幅方向の中心に位置する場合。この例としては、例えば後述する図４、図７、図８の例が挙げられる。これらの例は、半田付する際にコネクターの回転を意図的に防ぐのに有効である。  
３）複数のコネクターのうち少なくとも１つのコネクターにおいて、コネクターの幅と端子の幅とが同一である場合。この例としては、例えば後述する図６の例が挙げられる。この例は、半田付する際にコネクターの回転を意図的に防ぐのに有効である。
【００１３】
以下、本発明の具体的な実施例について説明する。  
（実施例１）  
実施例１に係る端子・フレーム構造体について、図１（Ａ），（Ｂ）及び図２（Ａ），（Ｂ）を参照して説明する。ここで、図１は組み立て前、図２は組み立て後の状態を夫々示す。また、図１（Ａ）は端子・フレーム構造体の組み立て前の斜視図、図１（Ｂ）は図１（Ａ）の平面図を示す。図２（Ａ）は端子・フレーム構造体の組み立て後の斜視図、図２（Ｂ）は図２（Ａ）の平面図を示す。
【００１４】
端子・フレーム構造体１０は、図１に示すような２本の互いに並行な端子１１ａ，１１ｂ及びこれらの端子１１ａ，１１ｂの長手方向に沿って設けられたフレーム１２と、図２に示すようなコネクター１５ａ，１５ｂを備えている。前記端子１１ａ，１１ｂのフレーム寄りの先端は夫々一段下がったポスト曲げ部１３になっており、このポスト曲げ部１３はコネクターの一端と接続するためのコネクター搭載箇所（ポスト）１４になっている。ここで、ポスト１４の幅Ｗはコネクター１５ａ，１５ｂの一端の幅と同じ幅に設定されている。また、ポスト１４の内側辺と端子１１ａ，１１ｂの夫々の内側辺は同一面上にあり、ポスト１４の夫々の外側辺は端子１１ａ，１１ｂの夫々の外側辺より端子１１ａ，１１ｂの幅方向Ｘに対して外側に位置するように配置されている。
【００１５】
図１の状態から端子１１ａ，１１ｂとフレーム１２とを接続するには、図２に示すように行う。即ち、コネクター１５ａ，１５ｂの一端を端子１１ａ，１１ｂの夫々のポスト１４上に重ね合わせ、コネクター１５ａ，１５ｂの他端をフレーム１２上のペレット１６に夫々電極１７ａ，１７ｂを介して半田付けすることにより接続する。なお、図２（Ｂ）以外の図では便宜上電極は図示されていない。
【００１６】
実施例１に係る端子・フレーム構造体によれば、ポスト１４の幅はコネクター１５ａ，１５ｂの一端の幅と同じ幅に設定され、かつポスト１４の内側辺と端子１１ａ，１１ｂの夫々の内側辺は同一面上にあり、ポスト１４の夫々の外側辺は端子１１ａ，１１ｂの夫々の外側辺より端子１１ａ，１１ｂの幅方向Ｘに対して外側に位置するように配置された構成になっている。従って、コネクター１５ａ，１５ｂを半田により端子１１ａ，１１ｂの夫々のポスト１４とペレット１６の電極１７ａ，１７ｂに接続する際、搭載したコネクター１５ａ，１５ｂの先端が内側方向に回転するのを抑制できるため、コネクター１５ａ，１５ｂが電極１７ａ，１７ｂから外れて互いのコネクター１５ａ，１５ｂが短絡する不良（ショート不良）が生じたり、あるいはコネクター１５ａ，１５ｂが電極１７ａ，１７ｂから外れてオープン不良が生じることを回避できる。
【００１７】
（実施例２）  
実施例２に係る端子・フレーム構造体について、図３（Ａ），（Ｂ）及び図４（Ａ），（Ｂ）を参照して説明する。ここで、図３は組み立て前、図４は組み立て後の状態を夫々示す。また、図３（Ａ）は端子・フレーム構造体の組み立て前の斜視図、図３（Ｂ）は図３（Ａ）の平面図を示す。図４（Ａ）は端子・フレーム構造体の組み立て後の斜視図、図４（Ｂ）は図４（Ａ）の平面図を示す。但し、図１と同部材は同符番を付して説明を省略する。
【００１８】
実施例２に係る端子・フレーム構造体は、端子１１ａ，１１ｂの幅より大きいポスト１４が端子１１ａ，１１ｂの幅方向に対して略中央に位置し、ポスト１４と端子１１ａ，１１ｂとが平面的にみてＴ字型となるように構成されている。従って、端子１１ａ，１１ｂのポスト１４とペレット１６の電極１７ａ，１７ｂを夫々接続するコネクター１５ａ，１５ｂの一端側（端子側）と端子１１ａ，１１ｂとの関係は、コネクター１５ａ，１５ｂの一端と端子１１ａ，１１ｂとが平面的にみてＴ字型となるように構成される。
【００１９】
従って、実施例２によれば、コネクター１５ａ，１５ｂを半田により端子１１ａ，１１ｂの夫々のポスト１４とペレット１６の電極１７ａ，１７ｂに接続する際、搭載したコネクター１５ａ，１５ｂが回転するのを意図的に防ぐことになり、実施例１と同様にショート不良やオープン不良を回避できる。
【００２０】
（実施例３）  
実施例３に係る端子・フレーム構造体について、図５（Ａ），（Ｂ）及び図６（Ａ），（Ｂ）を参照して説明する。ここで、図５は組み立て前、図６は組み立て後の状態を夫々示す。また、図５（Ａ）は端子・フレーム構造体の組み立て前の斜視図、図５（Ｂ）は図５（Ａ）の平面図を示す。図６（Ａ）は端子・フレーム構造体の組み立て後の斜視図、図６（Ｂ）は図６（Ａ）の平面図を示す。但し、図１と同部材は同符番を付して説明を省略する。
【００２１】
実施例３に係る端子・フレーム構造体は、端子１１ａ，１１ｂと同じ幅のポスト１４が端子１１ａ，１１ｂの幅方向に対して重なるように位置し、ポスト１４と端子１１ａ，１１ｂとが平面的にみて重なるように構成されている。従って、端子１１ａ，１１ｂのポスト１４とペレット１６の電極１７ａ，１７ｂを夫々接続するコネクター１５ａ，１５ｂの一端側（端子側）と端子１１ａ，１１ｂとの関係は、コネクター１５ａ，１５ｂの一端と端子１１ａ，１１ｂとが平面的にみて重なるように構成される。
【００２２】
従って、実施例３によれば、コネクター１５ａ，１５ｂを半田により端子１１ａ，１１ｂの夫々のポスト１４とペレット１６の電極１７ａ，１７ｂに接続する際、搭載したコネクター１５ａ，１５ｂが回転するのを意図的に防ぐことになり、実施例１と同様にショート不良やオープン不良を回避できる。
【００２３】
（実施例４）  
実施例４に係る端子・フレーム構造体について、図７（Ａ），（Ｂ）を参照して説明する。ここで、図７（Ａ）は組み立て前の構造体の平面図、図７（Ｂ）は組み立て後の構造体の平面図を夫々示す。但し、図１と同部材は同符番を付して説明を省略する。  
本実施例４に係る端子・フレーム構造体は３端子１１ａ，１１ｂ，１１ｃであり、これに対応して３つのポスト１４が存在し、３つのコネクター１５ａ，１５ｂ，１５ｃが存在する。なお、図７中の符番１７ｃは電極を示す。
【００２４】
本実施例４の特徴は、中央のコネクター１５ｃと中央の端子１１ｃのみが平面的にみてＴ字型となるように構成され、残りの両端の端子１１ａ，１１ｂとコネクター１５ａ，１５ｂとの関係は従来（図９，１０）と同様な構成になっている点にある。従って、端子１１ｃのポスト１４とペレット１６の電極１７ｃを接続するコネクター１５ｃの一端側（端子側）と端子１１ｃとの関係は、コネクター１５ｃの一端と端子１１ｃとが平面的にみてＴ字型となるように構成される。
【００２５】
実施例４によれば、中央のコネクター１５ｃを半田により端子１１ｃのポスト１４とペレット１６の電極１７ｃに接続する際、搭載したコネクター１５ｃが回転するのを意図的に防ぐことになり、実施例１と同様にショート不良やオープン不良を回避できる。
【００２６】
（実施例５）  
実施例５に係る端子・フレーム構造体について、図８（Ａ），（Ｂ）を参照して説明する。ここで、図８（Ａ）は組み立て前の構造体の平面図、図８（Ｂ）は組み立て後の構造体の平面図を夫々示す。但し、図１と同部材は同符番を付して説明を省略する。  
本実施例５に係る端子・フレーム構造体は４端子１１ａ，１１ｂ，１１ｃ，１１ｄであり、これに対応して４つのポスト１４が存在し、４つのコネクター１５ａ，１５ｂ，１５ｃ，１５ｄが存在する。なお、図７中の符番１７ｃ，１７ｄは夫々電極を示す。
【００２７】
本実施例５の特徴は、コネクター１５ｃと端子１１ｃのみが平面的にみてＴ字型となるように構成され、ポスト１４の内側辺と端子１１ｄの内側辺が同一面上（コネクター１５ｄの一端側（端子側）の内側辺と端子１１ｄの内側辺が同一面上）にあり、ポスト１４の外側辺は端子１１ｄの外側辺より端子１１ｄの幅方向Ｘに対して外側に位置するように配置され、残りの両端の端子１１ａ，１１ｂとコネクター１５ａ，１５ｂとの関係は従来（図９，１０）と同様な構成になっている点にある。
【００２８】
実施例５によれば、コネクターを半田により端子のポストとペレットの電極に接続する際、コネクター１５ｃ部分においては搭載したコネクター１５ｃが回転するのを意図的に防ぐことになり、コネクター１５ｄ部分においては搭載したコネクター１５ｄの先端が内側方向に回転するのを抑制できるため、実施例１と同様にショート不良やオープン不良を回避できる。
【００２９】
なお、本発明は、上記実施形態そのままに限定されるものではなく、実施段階ではその要旨を逸脱しない範囲で構成要素を変形して具現化できる。具体的には、例えば実施例では２端子、３端子、４端子の場合について述べたが、５端子以上の場合にも適用可能である。また、端子とコネクターの配置状態も上述した場合に限らず、コネクターの位置決め制御の観点から種々な配置を採用することができる。
【図面の簡単な説明】
【００３０】
【図１】本発明の実施例１に係る端子・フレーム構造体の組み立て前の状態を示す説明図。
【図２】本発明の実施例１に係る端子・フレーム構造体の組み立て後の状態を示す説明図。
【図３】本発明の実施例２に係る端子・フレーム構造体の組み立て前の状態を示す説明図。
【図４】本発明の実施例２に係る端子・フレーム構造体の組み立て後の状態を示す説明図。
【図５】本発明の実施例３に係る端子・フレーム構造体の組み立て前の状態を示す説明図。
【図６】本発明の実施例３に係る端子・フレーム構造体の組み立て後の状態を示す説明図。
【図７】本発明の実施例４に係る端子・フレーム構造体の組み立て前・後の状態を示す説明図。
【図８】本発明の実施例５に係る端子・フレーム構造体の組み立て前・後の状態を示す説明図。
【図９】従来の端子・フレーム構造体の組み立て前の状態を示す説明図。
【図１０】従来の端子・フレーム構造体の組み立て後の状態を示す説明図。
【符号の説明】
【００３１】
１０…端子・フレーム構造体、１１ａ，１１ｂ，１１ｃ，１１ｄ…端子、１２…フレーム、１３…ポスト曲げ部、１４…コネクター搭載箇所（ポスト）、１５ａ，１５ｂ，１５ｃ，１５ｄ…コネクター、１６…ペレット、１７ａ，１７ｂ，１７ｃ，１７ｄ…電極。
【図１】
2007088263.tif 000003
【図２】
2007088263.tif 000004
【図３】
2007088263.tif 000005
【図４】
2007088263.tif 000006
【図５】
2007088263.tif 000007
【図６】
2007088263.tif 000008
【図７】
2007088263.tif 000009
【図８】
2007088263.tif 000010
【図９】
2007088263.tif 000011
【図１０】
2007088263.tif 000012